(57)【要約】【課題】複数の移動店舗車から構成されるショッピングモールにおいて、統一感のある外観を実現する。【解決手段】複数の移動店舗車とサーバ装置とからなる移動店舗システムであって、前記サーバ装置は、前記複数の移動店舗車に対して、車外表示装置に表示すべき映像を指示する映像表示指示を送信する指示手段を備え、前記複数の移動店舗車のそれぞれは、車体の外側に設けられた車外表示装置と、前記サーバ装置からの前記映像表示指示を受信する受信手段と、前記映像表示指示に従って、前記車外表示装置の表示内容を制御する表示制御手段と、を備える。【選択図】図５
2019132951.tif 000002
【特許請求の範囲】
【請求項１】
複数の移動店舗車とサーバ装置とからなる移動店舗システムであって、
前記サーバ装置は、前記複数の移動店舗車に対して、車外表示装置に表示すべき映像を指示する映像表示指示を送信する指示手段を備え、
前記複数の移動店舗車のそれぞれは、
車体の外側に設けられた車外表示装置と、
前記サーバ装置からの前記映像表示指示を受信する受信手段と、
前記映像表示指示に従って、前記車外表示装置の表示内容を制御する表示制御手段と、
を備える、
移動店舗システム。
【請求項２】
前記複数の移動店舗車のそれぞれは、あらかじめ定められた表示タイプと関連付けて、映像データを記憶する記憶手段をさらに備え、
前記映像表示指示には、車外表示装置に表示すべき映像の表示タイプが含まれており、
前記表示制御手段は、前記映像表示指示に含まれる表示タイプに関連付けられた映像データを前記記憶手段から取得して前記車外表示装置に表示する、
請求項１に記載の移動店舗システム。
【請求項３】
前記複数の移動店舗車のそれぞれは、前記表示タイプに関連する映像データを登録する映像登録手段を備え、
前記映像登録手段は、
前記表示タイプに対応する映像データを受け付け、
前記映像データが、前記表示タイプに対して定められた基準を満たすか否かを判定し、
前記映像データが前記基準を満たす場合に、前記映像データを、前記表示タイプと関連付けて前記記憶手段に記憶する、
請求項２に記載の移動店舗システム。
【請求項４】
前記複数の移動店舗車のそれぞれは、前記表示タイプに関連する映像データを登録する映像登録手段を備え、
前記映像登録手段は、
前記表示タイプに対応する映像データを受け付け、
前記映像データが前記表示タイプに対して定められた基準を満たすか否かを判定する判定装置に対して、前記映像データを送信し、
前記映像データが前記基準を満たすという判定結果を前記判定装置から取得した場合に、前記映像データを、前記表示タイプと関連付けて前記記憶手段に記憶する、
請求項２に記載の移動店舗システム。
【請求項５】
前記映像表示指示には、前記車外表示装置に表示する映像データ、もしくは当該映像データのソースが含まれており、
前記表示制御手段は、前記映像表示指示に含まれる映像データ、もしくは映像データのソースから取得した映像データを、前記車外表示装置に表示する、
請求項１に記載の移動店舗システム。
【請求項６】
前記複数の移動店舗車のそれぞれは、
位置情報を取得する位置情報取得手段と、
前記位置情報を前記サーバ装置に送信する送信手段と、
をさらに備え、
前記サーバ装置は、
前記移動店舗車から前記位置情報を受信する受信手段と、
前記移動店舗車の位置情報に応じて、当該移動店舗車の車外表示装置に表示する映像データを決定する映像決定手段と、
をさらに備える、
請求項５に記載の移動店舗システム。
【請求項７】
車体の外側に設けられた車外表示装置を備える複数の移動店舗車と、サーバ装置とからなる移動店舗システムにおける制御方法であって、
前記サーバ装置が、前記複数の移動店舗車に対して、車外表示装置に表示すべき映像を指示する映像表示指示を送信する指示ステップと、
前記複数の移動店舗車のそれぞれ、が前記サーバ装置からの前記映像表示指示を受信する受信ステップと、
前記複数の移動店舗車のそれぞれが、前記映像表示指示に従って、前記車外表示装置の表示内容を制御する表示制御ステップと、
を含む、
移動店舗システムにおける制御方法。
【請求項８】
請求項７に記載の方法の各ステップをコンピュータに実行させるためのプログラム。
【発明の詳細な説明】
【技術分野】
【０００１】
本発明は、複数の移動店舗車からなる移動店舗システムおよび当該移動店システムにおける制御方法に関する。
【背景技術】
【０００２】
車両を移動型の店舗や展示会場として利用する提案がされている（特許文献１）。オープンスペースにこのような移動店舗車を集合させて、ショッピングモールを作り上げることが考えられる。
【０００３】
また、移動店舗車の車体外側の全体もしくは大部分にディスプレイを設けて、車体の外観を変更可能とすることが想定される。
【先行技術文献】
【特許文献】
【０００４】
【特許文献１】特開２０１０−１４３５５８号公報
【発明の概要】
【発明が解決しようとする課題】
【０００５】
複数の移動店舗車からなるショッピングモールにおいて、個々の移動店舗車がバラバラに外観の演出を実施すると、ショッピングモールとしての統一感が保てないという問題がある。
【０００６】
本発明は上記の課題を考慮してなされたものであり、複数の移動店舗車から構成されるショッピングモールにおいて、外観の統一感を保つことを目的とする。
【課題を解決するための手段】
【０００７】
本発明の一態様における移動店舗システムは、複数の移動店舗車とサーバ装置とからなる移動店舗システムである。本態様におけるサーバ装置は、前記複数の移動店舗車に対して、車外表示装置に表示すべき映像を指示する映像表示指示を送信する指示手段を備える。本態様における、前記複数の移動店舗車のそれぞれは、車体の外側に設けられた車外表示装置と、前記サーバ装置からの前記映像表示指示を受信する受信手段と、前記映像表示指示に従って、前記車外表示装置の表示内容を制御する表示制御手段と、を備える。
【０００８】
このような構成を備えることで、本態様における移動店舗システムは、サーバ装置からの指示に基づいて、統一感のある外観が実現できる。
【０００９】
本態様において、前記複数の移動店舗車のそれぞれは、あらかじめ定められた表示タイプと関連付けて、映像データを記憶する記憶手段をさらに備え、前記映像表示指示には、車外表示装置に表示すべき映像の表示タイプが含まれており、前記表示制御手段は、前記映像表示指示に含まれる表示タイプに関連付けられた映像データを前記記憶手段から取得して前記車外表示装置に表示してもよい。
【００１０】
このように、移動店舗車が表示タイプに応じた映像データをあらかじめ記憶しておくことで、映像表示指示には表示タイプのみを含ませればよくなり、データ通信量を削減できる。また、それぞれの移動店舗車が、個別に映像データを記憶するので、それぞれ異なる映像を車外表示装置に表示できる。
【００１１】
ここで、複数の移動店舗車の外観に統一感を持たせるためには、それぞれの移動店舗車が表示する映像データに所定の基準を設けることが望ましい。そこで、本態様において、前記複数の移動店舗車のそれぞれは、前記表示タイプに関連する映像データを登録する映像登録手段を備え、前記映像登録手段は、前記表示タイプに対応する映像データを受け付け、前記映像データが、前記表示タイプに対して定められた基準を満たすか否かを判定し、前記映像データが前記基準を満たす場合に、前記映像データを、前記表示タイプと関連付けて前記記憶手段に記憶してもよい。
【００１２】
このようにすれば、表示タイプに応じて定められた基準を満たす映像データのみが記憶手段に記憶可能である。すなわち、当該基準を満たす映像のみが車外表示装置に表示されるので、全体の統一感を保つことができる。
【００１３】
あるいは、本態様において、前記複数の移動店舗車のそれぞれは、前記表示タイプに関連する映像データを登録する映像登録手段を備え、前記映像登録手段は、前記表示タイプに対応する映像データを受け付け、前記映像データが前記表示タイプに対して定められた基準を満たすか否かを判定する判定装置に対して、前記映像データを送信し、前記映像データが前記基準を満たすという判定結果を前記判定装置から取得した場合に、前記映像データを、前記表示タイプと関連付けて前記記憶手段に記憶してもよい。なお、判定装置は、前記サーバ装置と同じ装置であってもよいし、異なる装置であってもよい。
【００１４】
このように、外部の判定装置を利用して、映像データが基準を満たすか否かを判定しても、上記と同様の効果が得られる。
【００１５】
また、本態様において、前記映像表示指示には、前記車外表示装置に表示する映像データ、もしくは当該映像データのソースが含まれており、前記表示制御手段は、前記映像表示指示に含まれる映像データ、もしくは映像データのソースから取得した映像データを、前記車外表示装置に表示してもよい。
【００１６】
このように、移動店舗車にどのような映像を表示するかをサーバ装置から指示することによって、全体の統一感を保つことができる。
【００１７】
また、本態様において、前記複数の移動店舗車のそれぞれは、位置情報を取得する位置情報取得手段と、前記位置情報を前記サーバ装置に送信する送信手段と、をさらに備え、前記サーバ装置は、前記移動店舗車から前記位置情報を受信する受信手段と、前記移動店舗車の位置情報に応じて、当該移動店舗車の車外表示装置に表示する映像データを決定する映像決定手段と、をさらに備えてもよい。
【００１８】
このように、移動店舗車の位置に応じて表示する映像を決定することで、たとえば、複数の移動店舗車全体として、一つの映像を表示することができるようになる。また、移動店舗車の配置が変わっても、適切な映像を表示できる。
【００１９】
また、本態様において、前記複数の移動店舗車のそれぞれは、車体の内側に設けられた車内ディスプレイをさらに備え、前記映像表示指示は、前記車内ディスプレイに表示すべき映像も指示してもよい。
【００２０】
このようにすれば、移動店舗車の外観だけでなく、内部の見た目もサーバ装置から制御可能となる。
【００２１】
なお、本発明は、上記手段の少なくとも一部を含む移動店舗システムとして特定することができる。本発明は、上記で説明した処理を実行する制御方法、当該制御方法をコンピ
ュータに行わせるためのプログラム、または、当該プログラムを非一時的に記憶したコンピュータ可読媒体として特定することもできる。上記処理や手段は、技術的な矛盾が生じない限りにおいて、自由に組み合わせて実施することができる。
【発明の効果】
【００２２】
本発明によれば、複数の移動店舗車から構成されるショッピングモールにおいて、外観の統一感を保つことができる。
【図面の簡単な説明】
【００２３】
【図１】図１Ａは、第１の実施形態に係る移動店舗システムのシステム概要図であり、図１Ｂは、第１の実施形態における移動店舗車の外観図である。
【図２】図２は、第１の実施形態に係る移動店舗システムの機能ブロック図である。
【図３】図３は、第１の実施形態に係る移動店舗システムにおける、映像データ登録処理の流れを説明する図である。
【図４】図４は、第１の実施形態における映像データ記憶部の例を説明する図である。
【図５】図５は、第１の実施形態に係る移動店舗システムにおける、映像表示処理の流れを説明する図である。
【図６】図６は、第１の実施形態の変形例における、映像データ登録処理の流れを説明する図である。
【図７】図７は、第２の実施形態に係る移動店舗システムの機能ブロック図である。
【図８】図８は、第２の実施形態に係る移動店舗システムにおける、映像表示処理の流れを説明する図である。
【図９】図９Ａは、第２の実施形態における映像データ記憶部の例を説明する図で有り、図９Ｂは、第２の実施形態における表示エリアを説明する図である。
【発明を実施するための形態】
【００２４】
＜第１の実施形態＞
（システム概要）
本実施形態は、複数の移動店舗車が集合して形成されるショッピングモール（複合商業施設）における店舗案内情報の提供システムである。以下、本実施形態に係る移動店舗システム１０について、図１（Ａ），１（Ｂ）を参照しながら説明する。本実施形態に係る移動店舗システム１０は、複数の移動店舗車１００と、サーバ装置２００ととから構成される。
【００２５】
移動店舗車１００は、固体ごとに異なる機能を持つことができる多目的移動体であり、本実施形態では道路上を移動可能な車両である。移動店舗車１００は、車両内に店舗営業のための施設・設備を有しており、目的地まで走行した後に施設・設備を展開して、営業を行うことができる。なお、本開示において「店舗」とは、商品（物品）やサービス（役務）を有償または無償で提供するための施設を意味する。
【００２６】
本実施形態では、複数の移動店舗車１００のそれぞれは車体の外側にディスプレイを備える。図１（Ｂ）においてＡ〜Ｅで示される部分がディスプレイである。したがって、移動店舗車１００は、ディスプレイに表示する映像を変更することで、外観を変更することができる。
【００２７】
ここで、移動店舗車１００のそれぞれが個別にディスプレイに表示する映像を決定すると、ショッピングモール全体の外観の統一感が失われるおそれがある。本実施形態では、サーバ装置２００からの指示にしたがって移動店舗車１００がディスプレイに映像を表示することで、ショッピングモール全体の統一感を保つ。
【００２８】
(システム構成)
システムの構成要素について詳しく説明する。図２は、図１に示した移動店舗車１００およびサーバ装置２００の構成の一例を概略的に示したブロック図である。
【００２９】
［移動店舗車１００］
移動店舗車１００は車室内に店舗営業のための設備を備えるが、本明細書では店舗営業のための設備についての説明は省略する。ここでは主に、複数の移動店舗車１００が共通して有する車両としての機能と、車外ディスプレイへの映像表示のための機能に絞って説明を行う。
【００３０】
移動店舗車１００は、センサ１０１、位置情報取得部１０２、車両制御部１０４、通信部１０５、映像出力部１０６、カメラ１０７、制御部１０９を含んで構成される。移動店舗車１００は、ガソリン車やディーゼル車であってもよく電気自動車であってもよく、内燃機関またはバッテリーから供給される電力に基づいて動作する。
【００３１】
センサ１０１は、車両の状態をセンシングしたり車両周辺をセンシングしたりする手段である。車両の状態をセンシングするためのセンサ１０１として、加速度センサ、速度センサ、方位角センサが挙げられる。車両周辺をセンシングするためのセンサ１０１として、ステレオカメラ、レーザスキャナ、ＬＩＤＡＲ、レーダなどが挙げられる。センサ１０１が取得した情報は、制御部１０３に送信される。
【００３２】
位置情報取得部１０２は、車両の現在位置を取得する手段であり、典型的には、ＧＰＳ衛星信号を受信して位置情報を求めるＧＰＳ（Global Positioning System）装置である
。ＧＰＳ装置から得られる位置情報は、緯度・経度・高度を表す。位置情報取得部１０２は、車両の現在位置を取得可能であれば、ＧＰＳ以外のＧＮＳＳ（Global Navigation Satellite System）による測位装置でもよく、基地局測位による測位装置でも良い。
【００３３】
車両制御部１０４は、移動店舗車１００の車両としての機能を制御する。車両制御部１０４は、たとえば、エンジンあるいはモータやインバータや、ブレーキ、ステアリングおよびこれらを制御するＥＣＵ（Electronic Control Unit）を含んで構成される。
【００３４】
通信部１０５は、移動店舗車１００をネットワークに接続するための通信手段である。本実施形態では、３ＧやＬＴＥ等の移動体通信サービスを利用して、ネットワーク経由で他の装置（たとえばサーバ装置２００）と通信を行うことができる。なお、通信部１０５は、他の移動店舗車１００と車々間通信を行うための通信手段を備えていても良い。
【００３５】
映像出力部１０６は、車体に設けられた車外ディスプレイ（車外表示装置）に映像を出力する手段である。本実施形態における移動店舗車１００は、車体の外側にディスプレイを有しており、任意の映像を出力することができる。車外ディスプレイは、液晶ディスプレイであってもよいし、有機ＥＬディスプレイであってもよいし、ＬＥＤマトリックス等によって構成されてもよい。
【００３６】
カメラ１０７は、移動店舗車１００の車体に設けられたカメラである。本実施形態では、移動店舗車１００は、車載されたカメラ１０７を有しており、画像（静止画または動画）を取得することができる。カメラ１０７の数は特に限定されず１つ以上であればよいが、前方・後方・左右側方のそれぞれを撮影できるように複数のカメラが設置されてもよい。
【００３７】
制御部１０９は、移動店舗車１００全体の制御を行うコンピュータである。制御部１０
９は、たとえば、マイクロプロセッサと、プログラムを格納したメモリとから構成され、マイクロプロセッサがプログラムを実行することにより、映像表示指示取得部１０９１、映像データ取得部１０９２、映像データ登録部１０９３、および映像データ記憶部１０９４として機能する。これらの機能部の詳細に関しては、フローチャートとともに説明する。なお、これらの機能の一部または全部は、ＡＳＩＣ（Application Specific Integrated Circuit）やＦＰＧＡ（Field Programmable Gate Array）などの論理回路によって実現されてもよい。
【００３８】
［サーバ装置２００］
次に、サーバ装置２００について説明する。サーバ装置２００は、複数の移動店舗車１００に対して、車外ディスプレイにどのような映像表示を行うかを指示する。
【００３９】
サーバ装置２００は、通信部２０１、制御部２０２、記憶部２０３を有して構成される。
【００４０】
通信部２０１は、通信部１０５と同様の、ネットワーク経由で移動店舗車１００と通信を行うための通信インタフェースである。
【００４１】
制御部２０２は、サーバ装置２００の制御を司る手段である。制御部２０２は、たとえば、マイクロプロセッサと、プログラムを格納したメモリとから構成され、マイクロプロセッサがプログラムを実行することにより、映像表示指示生成部２０２１および映像表示指示送信部２０２２として機能する。なお、これらの機能の一部または全部は、ＡＳＩＣやＦＰＧＡなどの論理回路によって実現されてもよい。
【００４２】
映像表示指示生成部２０２１は、移動店舗車に対する映像表示指示を生成する。具体的には、オペレータから映像表示の表示タイプを取得し、当該表示タイプにしたがって映像表示を行うように指示する映像表示指示を生成する。表示タイプは、映像を分類するための任意の基準であり、一例として、ハロウィーン・クリスマス・お正月などが含まれる。
【００４３】
映像表示指示送信部２０２２は、生成された映像表示指示を、通信部２０１を介して、移動店舗車１００に一斉送信する。
【００４４】
記憶部２０３は、情報を記憶する手段であり、ＲＡＭ、磁気ディスクや半導体メモリなどの記憶媒体により構成される。
【００４５】
（処理）
本実施形態における処理は、移動店舗車１００における映像データの登録処理と、サーバ装置２００からの指示に従った映像表示処理の２つに大別できる。以下、この順でそれぞれ説明する。
【００４６】
［映像データ登録処理］
本実施形態では、サーバ装置２００からどの表示タイプの映像表示を行うかが指示され、移動店舗車１００は、表示タイプに関連付けて映像データ記憶部１０９４に登録されている映像データを読み込んで映像出力部（車外ディスプレイ）１０６に出力する。したがって、移動店舗車１００は、あらかじめ、映像データを表示タイプに関連付けて登録しておく必要がある。なお、映像データは、静止画像であってもよいし、動画像であってもよい。
【００４７】
以下、図３を参照して、本実施形態における映像データ登録処理を説明する。
【００４８】
ステップＳ１０１において、映像データ登録部１０９３は、ユーザから、表示タイプと映像データを取得する。たとえば、映像データ登録部１０９３は、表示タイプ「クリスマス」に対応する映像データの入力を受け付ける。
【００４９】
ステップＳ１０２において、映像データ登録部１０９３は、ステップＳ１０１において取得した表示タイプの映像データが満たすべき基準を取得する。この基準は、移動店舗車１００にあらかじめ記憶されていてもよいし、その都度サーバ装置２００あるいはその他の装置から取得してもよい。
【００５０】
ステップＳ１０３において、映像データ登録部１０９３は、ステップＳ１０１において取得した映像データが、ステップＳ１０２で取得した基準を満たすか否かを判定する。映像データが基準を満たす場合（Ｓ１０３−ＹＥＳ）には、映像データ登録部１０９３は、当該映像データを表示タイプに対応する映像データとして、映像データ記憶部１０９４に格納する。一方、映像データが基準を満たさない場合（Ｓ１０３−ＮＯ）には、映像データの登録は行わない。この際、いずれの基準項目を満たさないかを通知することも好ましい。
【００５１】
ここで、表示タイプに関連する基準は、この基準を満たす複数の映像データの間で外観の統一がとれるような基準であれば、どのようなものであってもよい。たとえば、配色に関する基準を採用できる。たとえば、表示タイプ「クリスマス」については、赤・緑・白が全体の所定割合（例：９０％）以上を占める必要があるという基準を課すことができる。基準は、映像に含まれる物体の種類であってもよい。たとえば、表示タイプ「クリスマス」ついては、サンタクロース・トナカイ・クリスマスツリー・冬などに関する物体が全体の所定割合以上を占める必要があるという基準を課すことができる。また、基準は、機械学習の結果として得られる識別器の形式で与えられてもよい。たとえば、表示タイプ「クリスマス」であれば、映像がクリスマスらしさの度合いを算出する識別器を利用して、識別子の出力が閾値（たとえば、０．９）以上であれば基準を満たすと判断してもよい。
【００５２】
このように登録処理を採用することで、表示タイプに従った適切な映像データのみが登録されることになる。図４は、映像データ記憶部１０９４の例を説明する図である。この例では、表示タイプ「ハロウィーン」「クリスマス」「お正月」に関連付けて、それぞれ映像データが映像データ記憶部１０９４に格納される。なお、表示タイプは、ここで示したようなイベントに限定されず、任意のものであってよい。
【００５３】
［映像表示処理］
次に、図５を参照して、本実施形態における移動店舗システムにおける映像表示処理について説明する。
【００５４】
ステップＳ２０１において、サーバ装置２００は、オペレータから、どの表示タイプで映像表示を行うかという入力を受け付ける。ステップＳ２０２において、映像表示指示生成部２０２１は、当該表示タイプを含む映像表示指示を生成する。ステップＳ２０３において、映像表示指示送信部２０２２は、映像表示指示を、通信部２０１を介して移動店舗車１００に一斉送信する。
【００５５】
ステップＳ２０４において、移動店舗車１００の映像表示指示取得部１０９１が、映像表示指示をサーバ装置２００から受信する。ステップＳ２０５において、映像データ取得部１０９２は、映像表示指示に含まれる表示タイプに関連付けられている映像データを、映像データ記憶部１０９４から取得する。ステップＳ２０６において、制御部１０９は、取得した映像データを、映像出力部（車外ディスプレイ）１０６に出力する。
【００５６】
（有利な効果）
本実施形態によれば、サーバ装置２００からの指示にしたがって、複数の移動店舗車１００が統一のとれた映像を車外ディスプレイに表示する。したがって、複数の移動店舗車１００から構成されるショッピングモールの外観の統一が図れる。
【００５７】
（第１の実施形態の変形例１）
上記の説明では、表示タイプに関連付けて登録する映像データが基準を満たすか否かの判定処理を、移動店舗車１００内で行っていたが、この判定処理を移動店舗車１００以外の外部の装置（判定装置）で行ってもよい。判定装置は、サーバ装置２００と同一の装置であってもよいし、異なる装置であってもよい。
【００５８】
本変形例における、映像データ登録処理を、図６を参照して説明する。
【００５９】
ステップＳ３０１において、移動店舗車１００の映像データ登録部１０９３は、ユーザから、表示タイプと映像データを取得する。ステップＳ３０２において、移動店舗車１００は、表示タイプと映像データを、判定装置に送信する。
【００６０】
ステップＳ３０３において、判定装置は、表示タイプと映像データを移動店舗車１００から受信する。判定装置は、ステップＳ３０４において、表示タイプに対応する基準を取得し、ステップＳ３０５において、映像データがこの基準を満たすか否かを判定し、ステップＳ３０６において、判定結果を移動店舗車１００に送信する。ステップＳ３０４〜Ｓ３０５の処理は、第１の実施形態におけるステップＳ１０２〜Ｓ１０３と同様に実現できる。なお、本実施形態における判定処理（Ｓ３０５）は、人間が手動で行っても構わない。
【００６１】
移動店舗車１００は、ステップＳ３０７において判定結果を受信し、映像データが基準を満たす場合（Ｓ３０８−ＹＥＳ）には、この映像データを表示タイプに対する映像データとして映像データ記憶部１０９４に記憶する。
【００６２】
本変形例によっても、第１の実施形態と同様の効果が得られる。
【００６３】
（第１の実施形態の変形例２）
上記の説明では、映像データは、映像データ登録処理を行うことによって映像データ取得部１０９２に登録される。しかしながら、その他の構成も採用可能である。たとえば、サーバ装置２００から、表示タイプごとの映像データが移動店舗車１００に対して送信されてもよい。このようにすれば、サーバ装置２００から送信される映像が表示できるため、ショッピングモール全体の統一感が保たれる。
【００６４】
また、サーバ装置２００から映像データのテンプレート（ひながた）が送信され、テンプレート内の一部を移動店舗車１００のユーザが変更して映像データ取得部１０９２に記憶してもよい。このようにテンプレートを用いれば、移動店舗車１００ごとにカスタマイズした映像を表示可能としつつ、全体の外観の統一が図れる。
【００６５】
＜第２の実施形態＞
本実施形態は、サーバ装置２００から移動店舗車１００に対して、表示する映像データを指示する実施形態である。
【００６６】
図７は、本実施形態における移動店舗車１００およびサーバ装置２００の構成の一例を概略的に示したブロック図である。本実施形態の構成は第１の実施形態の構成と基本的に同様であるが、移動店舗車１００の制御部１０９およびサーバ装置２００の制御部２０２
の機能が第１の実施形態と異なる。移動店舗車１００の制御部１０９は、映像表示指示取得部１０９１、映像データ取得部１０９２、および位置情報送信部１０９５を含む。サーバ装置２００の制御部２０２は、映像表示指示生成部２０２１、映像表示指示送信部２０２２、位置情報取得部２０２３、映像データ記憶部２０２４を含む。
【００６７】
以下、本実施形態について、図８のフローチャートを参照して説明する。
【００６８】
ステップＳ４０１において、移動店舗車１００は、位置情報取得部１０２から位置情報を取得し、通信部１０５を介してサーバ装置２００へ送信する。ステップＳ４０２において、サーバ装置２００の制御部２０２は、移動店舗車１００の位置情報を受信して、移動店舗車の識別子と関連付けて記憶する。なお、位置情報の送信は、全ての移動店舗車１００が定期的に行うようにしてもよいし、位置が変更されたときのみ行うようにしてもよいし、サーバ装置２００が映像表示の指示を行うタイミングでのみ行うようにしてもよい。
【００６９】
ステップＳ４０３において、サーバ装置２００は、オペレータから、どの表示タイプで映像表示を行うかという入力を受け付ける。ステップＳ４０４において、映像表示指示生成部２０２１は、表示タイプと移動店舗車１００の位置に応じて、移動店舗車１００が表示すべき映像を決定する。
【００７０】
ここで、本実施形態における映像データ記憶部２０２４について説明する。映像データ記憶部２０２４には、表示タイプごと、および位置ごとに、表示すべき映像データが格納されている（図９Ａ参照）。図９Ａにおける「エリア」は、図９Ｂに示すように、ショッピングモール全体のエリア９０を分割したエリアを指す。ここでは、全体のエリア９０を、第１〜第３のエリア９１〜９３に分割しているが、エリアの分割数は特に限定されない。また、表示タイプごとに、エリアの分割方法（設定方法）を変えても構わない。
【００７１】
このように、映像データ記憶部２０２４には、表示タイプおよび位置ごとに表示すべき映像データが格納されているので、映像表示指示生成部２０２１は表示タイプおよび移動店舗車１００の位置に応じて、当該移動店舗車１００が表示すべき映像データを決定できる。
【００７２】
ステップＳ４０５において、映像表示指示生成部２０２１は、当該映像データを含む映像表示指示を生成する。ステップＳ４０５において、映像表示指示送信部２０２２は、映像表示指示を、通信部２０１を介して移動店舗車１００に送信する。なお、本実施形態においては、移動店舗車１００ごとに映像表示指示が生成される。ただし、１つの映像表示指示に複数の移動店舗車１００に対する指示が含まれていてもよい。特に、同一の映像データを表示する移動店舗車１００に対する指示は１つにまとめてもよい。
【００７３】
ステップＳ４０７において、移動店舗車１００の映像表示指示取得部１０９１が、映像表示指示をサーバ装置２００から受信する。ステップＳ４０８において、映像データ取得部１０９２は、映像表示指示に含まれる映像データを取得する。ステップＳ４０９において、制御部１０９は、取得した映像データを、映像出力部（車外ディスプレイ）１０６に出力する。
【００７４】
本実施形態によれば、サーバ装置２００からの指示にしたがって、移動店舗車１００が車外ディスプレイに表示する映像を制御できるので、ショッピングモール全体の外観の統一が図れる。また、移動店舗車１００の位置に応じて表示する映像データを変えているので、移動店舗車１００が移動した場合でも、各エリア内での映像の統一感を保てる。
【００７５】
（第２の実施形態の変形例１）
第２の実施形態では、サーバ装置２００から移動店舗車１００に対して、映像データそのものが送信されているが、必ずしも映像データ本体がサーバ装置２００から送信される必要はない。映像表示指示生成部２０２１が生成する映像表示指示には、表示すべき映像データのデータソース（たとえば、ＵＲＬ（Universal Resource Locator））が含まれてもよい。移動店舗車１００は、映像表示指示に含まれるデータソースから映像データを取得して表示すればよい。
【００７６】
（第２の実施形態の変形例２）
上記の説明では、サーバ装置２００が、表示タイプごと、および位置ごとに、映像データを記憶する映像データ記憶部２０２４を有しているが、その他の構成も可能である。たとえば、サーバ装置２００は、エリア全体に対応した１つの映像データを、表示タイプごとに記憶し、この映像データのうち移動店舗車１００の位置に応じた部分を移動店舗車１００において表示するように映像表示指示を生成してもよい。このようにすれば、ショッピングモール全体で１つの映像を構成することができる。
【００７７】
（第２の実施形態の変形例３）
第２の実施形態と同様の効果を、第１の実施形態と類似する構成によって実現してもよい。たとえば、第１の実施形態と同様に、サーバ装置２００から移動店舗車１００に対しては、表示タイプのみが指示される。移動店舗車１００は、映像データ記憶部２０２４と同様の記憶部を有し、サーバ装置２００から指示される表示タイプと、位置情報取得部１０２から取得される位置情報に基づいて、表示すべき映像データを取得してもよい。このようにしても、第２の実施形態と同様の効果が得られる。
【００７８】
なお、本変形例において移動店舗車１００が記憶する映像データは、サーバ装置２００から事前に送信されたものであってもよいし、第１の実施形態と同様の登録処理によって事前に登録されたものであってもよい。
【００７９】
＜その他の実施形態＞
上記の説明では、移動店舗車１００の車外ディスプレイに表示する映像がサーバ装置２００からの指示にしたがって決定される処理を説明したが、全ての映像がこのように決定される必要はない。たとえば、車外ディスプレイのうち、一部のディスプレイについては、移動店舗車１００が自由に表示映像を決定するようにしてもよい。あるいは、サーバ装置２００からの指示にしたがった表示と、自由な表示とを、時間的に切り替えてもよい。たとえば、サーバ装置２００から映像表示指示が送信されていない時間帯は、移動店舗車１００が自由に表示映像を決定するようにしてもよい。
【００８０】
上記の説明では、移動店舗車１００の車外ディスプレイに表示する映像のみについて説明したが、移動店舗車１００の車内ディスプレイに表示する映像についても同様に、サーバ装置２００からの指示にしたがって決定してもよい。
【００８１】
上記の説明では、移動店舗車１００の車外ディスプレイに映像を表示しているが、サーバ装置の指示にしたがって、照明の色や輝度を制御するようにしてもよい。すなわち、本発明における車外表示装置は照明装置であってもよい。
【００８２】
上記の実施形態はあくまでも一例であって、複数の実施形態を組み合わせて実施したり、本発明はその要旨を逸脱しない範囲内で適宜変更して実施したりしてもよい。たとえば、１つの装置が行うものとして説明した処理が、複数の装置によって分担して実行されてもよい。また、異なる装置が行うものとして説明した処理が、１つの装置によって実行されても構わない。コンピュータシステムにおいて、各機能をどのようなハードウェア構成（サーバ構成）によって実現するかは柔軟に変更可能である。
【符号の説明】
【００８３】
１００・・・移動店舗車
１０１：センサ      １０２：位置情報取得部      １０４：車両制御部
１０５：通信部      １０６：映像出力部          １０７：カメラ
１０９：制御部
１０９１：映像表示指示取得部  １０９２：映像データ取得部
１０９３：映像データ登録部  １０９４：映像データ記憶部  １０９５：位置情報送信部２００・・・サーバ装置
２０１：通信部      ２０２：制御部      ２０３：記憶部
２０２１：映像表示指示生成部      ２０２２：映像表示指示送信部
【図１】
2019132951.tif 000003
【図２】
2019132951.tif 000004
【図３】
2019132951.tif 000005
【図４】
2019132951.tif 000006
【図５】
2019132951.tif 000007
【図６】
2019132951.tif 000008
【図７】
2019132951.tif 000009
【図８】
2019132951.tif 000010
【図９】
2019132951.tif 000011